(57)【要約】【課題】  必要なパラメータを一つのグループとして自由に登録でき、そのグループ内での表示順番も任意に変更できる操作性の高いパラメータ設定支援装置とその表示方法を得る。【解決手段】  本発明のパラメータ設定支援装置は、全パラメータを一つの表で表示する一覧機能と、パラメータの内容をグループ分けして表示するグループ機能とを有し、表示されたパラメータの中から特定のパラメータを選択して設定するもので、前記一覧機能から任意のパラメータを選択し、選択したパラメータを登録してグループを形成し、登録されたパラメータを用いてパラメータの設定および表示ができる登録機能を備えている。【選択図】    図２
2006227721.tif 000002
【特許請求の範囲】
【請求項１】
全パラメータを一つの表で表示する一覧機能と、パラメータの内容をグループ分けして表示するグループ機能とを有し、表示されたパラメータの中から特定のパラメータを選択して設定するパラメータ設定支援装置において、
前記一覧機能から任意のパラメータを選択し、この選択したパラメータを登録してグループを形成し、前記登録されたパラメータを用いてパラメータの設定および表示ができる登録機能を備えたことを特徴とするパラメータ設定支援装置。
【請求項２】
前記登録機能は、画面上にグループ名を入力するグループ名称入力欄と、パラメータの候補を表示するパラメータ候補一覧と、前記パラメータ候補一覧から選択したパラメータを表示する登録パラメータ覧と、前記選択したパラメータを登録パラメータ覧に登録する追加ボタンと、登録されたパラメータのファイルを保存する保存ボタンと、登録されたファイルを読み出し画面に表示する読込ボタンと、前記選択したパラメータを削除する削除ボタンと、選択した全てのパラメータを削除する全削除ボタンと、選択されたパラメータを１個上のパラメータと順番を入れ替える上移動ボタンと、選択されたパラメータを１個下のパラメータと順番を入れ替える下移動ボタンとを備えたことを特徴とする請求項１記載のパラメータ設定支援装置。
【請求項３】
一覧機能により表示された全パラメータ、または、グループ機能によりグループ分けされて表示されたパラメータの中から特定のパラメータを選択して設定するパラメータ表示方法において、
前記一覧機能から任意に選択したパラメータを登録機能により登録し、登録されたパラメータを用いてパラメータの設定およびパラメータの表示を行うことを特徴とするパラメータ表示方法。
【発明の詳細な説明】
【技術分野】
【０００１】
本発明は、記憶部に登録された複数のパラメータに基づいて動作する制御装置のパラメータ設定支援装置およびその表示方法に関する。
【背景技術】
【０００２】
従来の制御装置のパラメータ設定支援装置として、パラメータを一覧表で管理し表示するものが提案されている(例えば、特許文献１参照)。
一覧表の表示方法は主に二つあり、第一は、全パラメータを一つの表にまとめ一覧表示する方法であり、第二は、パラメータを複数のグループに分割して表示する方法である。
第一のパラメータ表示方法は、パラメータの表示順番がパラメータ番号順など、既に決まった規則に従い表示される。その表示例を図５に示す。通常の制御装置は百単位のパラメータが存在し、多いものでは数百から千近くのパラメータを持つ制御装置もある。これらのパラメータを１つの表で管理する。一度に画面に表示できるパラメータの個数には制限があるので、垂直スクロールバー４０を使用して表示するパラメータ位置を切り替えている。
第二のパラメータ表示方法は、複数のグループに分割されたものを一つの表として表示する方法で、グループ間の表示切り替えは、タブを使用して行う。この場合のグループ分けはパラメータの内容で分類されており、パラメータの表示順番は第一の方法と同様である。第二の表示方法の表示例を図６に示す。図において、１０は分類タブ、２０は全覧タブである。分類タブ１０はパラメータ内容に従いグループ分けがなされたもので、全覧タブ２０は全パラメータを表示するものである。これらのタブを用いてグループの表示切り替えを実施する。一つのグループで一度に画面に表示できないものは、第一の方法と同様に垂直スクロールバーを使用してパラメータ位置の表示切り替えを行う。グループ分けを行うことにより一グループに表示されるパラメータ個数が少なく、グループ内は関連パラメータのみが表示されている。第一の方法に比べ、垂直スクロールバーを使用して見たいパラメータを検索する回数は多少少なくなるが、パラメータがどのグループに属するかを知らないとタブを切替えてパラメータを探すか、第一の方法の全パラメータが表示されるグループから探すことになる。
【特許文献１】特開２００２−０３４２６１号公報
【発明の開示】
【発明が解決しようとする課題】
【０００３】
従来のパラメータ表示方法では、パラメータ設定支援装置によって固定された一覧表とその表示順番でしかパラメータを扱うことができない。このため、ユーザがある目的に対して複数個のパラメータを設定しようとした場合、従来の第一の方法では数百あるパラメータから垂直スクロールバーを使用して見たいパラメータを見つけ出し設定する。また、従来の第二の方法ではせっかくグループ分けがなされていても設定したいパラメータ群が同じグループに属していない場合には、やはりグループを切り替えて表示された表からパラメータを探して設定するやり方となる。表示させたいパラメータがどのグループに属するかがわからない場合には、一つ一つグループを切り替えて探すか、または全パラメータのグループから探すというとても手間がかかる方法になる。
本発明はこのような問題点に鑑みてなされたものであり、ユーザがある目的に対してパラメータを設定する場合に、その目的に必要なパラメータを一つのグループとして自由に登録でき、そのグループ内での表示順番も任意に変更できる操作性の高いパラメータ設定支援装置とその表示方法を提供することを目的とする。
【課題を解決するための手段】
【０００４】
上記問題を解決するため、本発明は、次のようにしたものである。
請求項１に記載の発明は、全パラメータを一つの表で表示する一覧機能と、パラメータの内容をグループ分けして表示するグループ機能とを有し、表示されたパラメータの中から特定のパラメータを選択して設定するパラメータ設定支援装置において、前記一覧機能から任意のパラメータを選択し、この選択したパラメータを登録してグループを形成し、前記登録されたパラメータを用いてパラメータの設定および表示ができる登録機能を備えたものである。
請求項２に記載の発明は、前記登録機能は、画面上にグループ名を入力するグループ名称入力欄と、パラメータの候補を表示するパラメータ候補一覧と、前記パラメータ候補一覧から選択したパラメータを表示する登録パラメータ覧と、前記選択したパラメータを登録パラメータ覧に登録する追加ボタンと、登録されたパラメータのファイルを保存する保存ボタンと、登録されたファイルを読み出し画面に表示する読込ボタンと、前記選択したパラメータを削除する削除ボタンと、選択した全てのパラメータを削除する全削除ボタンと、選択されたパラメータを１個上のパラメータと順番を入れ替える上移動ボタンと、選択されたパラメータを１個下のパラメータと順番を入れ替える下移動ボタンとを備えたものである。
請求項３に記載の発明は、一覧機能により表示された全パラメータ、または、グループ機能によりグループ分けされて表示されたパラメータの中から特定のパラメータを選択して設定するパラメータ表示方法において、前記一覧機能から任意に選択したパラメータを登録機能により登録し、登録されたパラメータを用いてパラメータの設定およびパラメータの表示を行うものである。
【発明の効果】
【０００５】
請求項１，３に記載の発明によると、ユーザがある目的に必要なパラメータのみを一つのグループとして一覧表示することが可能となり、数多いパラメータの中で迷うことなく目的に見合ったパラメータ設定が可能となる。
また、一度登録すると、再度パラメータ設定支援装置を起動した場合には前回登録した情報で本グループの表示を行うため、操作性に優れている。
請求項２に記載の発明によると、登録情報はファイルに保存可能であるため、一度登録しファイルに保存しておけば、再度必要なときはそのファイルを読み込むだけで、登録状況の復元が可能である。またファイルとしては制限なく作成することができるため、種々の目的に応じたファイルを準備することが可能である。
【発明を実施するための最良の形態】
【０００６】
以下、本発明の方法の具体的実施例について、図に基づいて説明する。
【実施例１】
【０００７】
本発明の実施例１を図１に示す。図１はパラメータが登録できるグループを設けた場合の表示例である。図において、３０は登録グループを示す登録タブである。登録タブ３０を選択すると登録情報に従い、図２に示すようなパラメータ表が表示される。
図２はグループを登録するための登録画面の例である。図において、１０１はグループ名称入力欄、１０２はパラメータ候補一覧、１０３は登録パラメータ覧、１０４は追加ボタン、１０５は保存ボタン、１０６は読込ボタン、１０７は削除ボタン、１０８は全削除ボタン、１０９は上移動ボタン、１１０は下移動ボタンである。
つぎに、登録タブ３０の登録方法について述べる。
まず、グループ名入力欄１０１により、登録タブ３０の名称を設定する。つぎにパラメータ候補一覧１０２に記載されているパラメータから登録するパラメータを選択する。パラメータ候補一覧１０２で選択されたパラメータは、追加ボタン１０４を押すことにより、登録パラメータ欄１０３に登録される。保存ボタン１０５により、現時点で登録されている情報がファイル名を付けて保存される。読込ボタン１０６により、ファイルを指定して登録情報を読み出し、登録画面に表示する。削除ボタン１０７は、登録パラメータ欄１０３で選択されているパラメータを選択して登録パラメータ欄１０３から削除する。全削除ボタン１０８は、登録パラメータ欄１０３のすべてのパラメータを削除する。上移動ボタン１０９は登録パラメータ覧１０３で選択されている登録パラメータを１つ上のパラメータと順番を入れ替える。下移動ボタン１１０は上移動ボタン１０９とは逆に登録パラメータ覧１０３で選択されている登録パラメータを１つ下のパラメータと順番を入れ替える。上移動ボタン１０９と下移動ボタン１１０を用いることで表示順番も自由に変更することができる。図３は登録タブ３０にパラメータを登録した後のデータが入った状態を示すものである。
図４は登録グループの表の状態を示す状態図である。
パラメータ設定支援装置にインストール直後の初期状態では、登録グループには何も登録されていない未登録状態であり、登録グループは空欄の表で表示される。未登録状態では、パラメータ設定支援装置を再起動しても登録情報が存在しないため再び空欄の表で表示されるが、登録作業を行うと登録状態となり、その情報に従いパラメータ表が表示される。一旦登録状態になると、登録情報を変更してもその情報に従いパラメータ表は再更新されて表示されるし、パラメータ設定支援装置を再起動しても前回の登録情報で登録グループは表示される。しかし登録状態で登録情報を削除してしまうと未登録状態になり、空欄のパラメータ表が表示される。
【図面の簡単な説明】
【０００８】
【図１】本発明の登録タブの画面例を示す説明図（登録前の状態）
【図２】図１の入力画面の例を示す説明図
【図３】本発明の登録タブの画面例を示す説明図（登録後の状態）
【図４】本発明の登録状態を示す説明図
【図５】従来の全パラメータ一括表示の表示例を示す説明図
【図６】従来の複数のグループに分けて表示する表示例を示す説明図
【符号の説明】
【０００９】
１０  分類タブ
２０  全覧タブ
３０  登録タブ
４０  垂直スクロールバー
１０１  グループ名称入力欄
１０２  パラメータ候補一覧
１０３  登録パラメータ覧
１０４  追加ボタン
１０５  保存ボタン
１０６  読込ボタン
１０７  削除ボタン
１０８  全削除ボタン
１０９  上移動ボタン
１１０  下移動ボタン
【図１】
2006227721.tif 000003
【図２】
2006227721.tif 000004
【図３】
2006227721.tif 000005
【図４】
2006227721.tif 000006
【図５】
2006227721.tif 000007
【図６】
2006227721.tif 000008